(57)【要約】【課題】全体の重量及び費用を増大させることなく衝撃吸収及び耐衝撃性の能力を達成する。【解決手段】パネル支持板は、Ｘ線検出器の内部の検出パネルを支持するために用いられ、検出器の筐体の内辺との接触部分に衝撃吸収空間を含み、検出器及びＸ線イメージング・システムはこのパネル支持板を含んでいる。弾性緩衝材ブロック等のような付加的な構成要素を一切付加することなく、パネル支持板の内部構造を変更することにより外力の衝撃に耐久し、検出器の全体費用を抑える。このパネル支持板は、検出器の筐体の内辺との接触部分に幾つものセル形状衝撃吸収空間を含んでおり、衝撃吸収空間及びパネル支持板が一体化され、弾性緩衝材ブロックが落下するという問題が起こらなくなり、信頼性を大幅に高める。【選択図】図１
2012242393.tif 000002
【特許請求の範囲】
【請求項１】
Ｘ線検出器の内部の検出パネルを支持するパネル支持板であって、前記検出器の筐体の内辺との接触部分に衝撃吸収空間を含むことを特徴とするパネル支持板。
【請求項２】
前記衝撃吸収空間は規則的な構造の多数の孔となっている、請求項１に記載のパネル支持板。
【請求項３】
前記衝撃吸収空間は不規則な構造の多数の孔となっている、請求項１に記載のパネル支持板。
【請求項４】
前記孔はハニカム構造である、請求項２又は３に記載のパネル支持板。
【請求項５】
前記孔は微細型円孔形状である、請求項２又は３に記載のパネル支持板。
【請求項６】
前記衝撃吸収空間、及び当該パネル支持板の他の部分は、同じ材料で製造される、請求項２又は３に記載のパネル支持板。
【請求項７】
前記衝撃吸収空間、及び当該パネル支持板の他の部分はさらに、異なる材料で製造される、請求項２又は３に記載のパネル支持板。
【請求項８】
検出パネルと、シンチレータ層と、軟質回路モジュールと、主回路基板と、パネル支持板と、以上の各要素を収容する筐体とを備えた検出器であって、
Ｘ線は、前記シンチレータ層を照射した後に可視光信号へ変換され、次いで該可視光信号は前記検出器パネルにより受光され、
前記パネル支持板は前記検出パネルを支持するために用いられ、
前記軟質回路モジュールは前記検出パネル及び前記主回路基板に接続され、
前記パネル支持板が当該検出器の前記筐体の内辺との接触部分に衝撃吸収空間を含んでいることを特徴とする検出器。
【請求項９】
前記衝撃吸収空間は規則的な構造の多数の孔となっている、請求項８に記載の検出器。
【請求項１０】
前記衝撃吸収空間は不規則な構造の多数の孔となっている、請求項８に記載の検出器。
【請求項１１】
前記孔はハニカム構造である、請求項９又は１０に記載の検出器。
【請求項１２】
前記孔は微細型円孔形状である、請求項９又は１０に記載の検出器。
【請求項１３】
前記衝撃吸収空間、及び前記パネル支持板の他の部分は、同じ材料で製造される、請求項９又は１０に記載の検出器。
【請求項１４】
前記衝撃吸収空間、及び前記パネル支持板の他の部分は、異なる材料で製造される、請求項９又は１０に記載の検出器。
【請求項１５】
請求項８〜請求項１４の何れか一項に記載の検出器を備えたことを特徴とするＸ線イメージング・システム。
【発明の詳細な説明】
【技術分野】
【０００１】
本発明は一般的には、小型ディジタルＸ線イメージングの分野に関し、具体的には、パネル支持板、検出器、及びＸ線イメージング・システムに関する。
【背景技術】
【０００２】
Ｘ線イメージング・システムの手法の継続的な発展に伴って、Ｘ線イメージング・システムは医療分野で次第に広く応用されるようになっている。現在、益々多くのディジタルＸ線イメージング・システムが従来のフィルム形式Ｘ線イメージング・システムに置き換わっている。ディジタルＸ線イメージング・システムでは、患者を撮像するときに移動させたり調節したりするために小型検出器が最も広く用いられている。
【０００３】
小型検出器では、ディジタル検出器パネルが図１に示すように筐体に配置されており、同図は従来技術の検出器パネルの図を示している。図１から分かるように、従来技術の検出器は、検出パネル１、シンチレータ層２、主回路基板層３、軟質回路モジュール５、パネル支持板４、及び筐体６を含んでいる。検出パネル１はＸ線検出器の中核要素であり、パネル１に取り付けられたシンチレータ層２は入射Ｘ線を可視光へ変換するために主に用いられ、可視光は検出パネル１の表面に設けられているフォトダイオード素子を直接照射することができ、アナログ電気信号が発生される。アナログ電気信号は、検出パネル１に接続された軟質回路モジュール５を通じてディジタル信号へ変換され、主回路基板３に転送されて処理を施される。検出パネルは壊れ易い材質であるので、Ｘ線検出器の寿命を延ばして強度を高めるために検出パネル１と主回路基板３との間にパネル支持板４が追加されており、内部の各要素は、高強度低密度金属材料を機械加工することにより形成される筐体６によって保護される。最終的に完全なＸ線検出器が形成される。
【０００４】
患者のディジタルＸ線イメージングを実際に行なうときに、撮像対象部位及び患者本人の健康状態に応じて、最善の画像が提供され得る位置に検出器が配置されるように検出器を移動させる必要がある。従って、不可避的に、検出器は、外力による衝撃を受けたり、不注意のため床に落ちたりする場合がある。検出器の検出パネル１は、外力等によって衝撃を受けると損傷され得る。従って、如何にして外力を緩衝するかがこの分野で研究される喫緊の課題の一つとなっている。
【０００５】
現在、米国特許第７４５９２２６号“COMPACT AND DURABLE ENHANCEMENT FOR A DIGITAL RADIOGRAPHY DETECTOR”、米国特許第７５６９８３１号“ASSEMBLY FEATURES AND SHOCK PROTECTION FOR A DIGITAL RADIOGRAPHY DETECTOR”、及び米国特許第６７００１２６号“RADIOGRAPHIC APPARATUS”等によって幾つかの解決法が提供されている。
【０００６】
現在、弾性緩衝材ブロック及び支持ブロック等が最も広く用いられており、これらのブロック等は、外力を吸収するために検出筐体内の内辺に沿って四つの隅角に付加的に装着されている。
【先行技術文献】
【特許文献】
【０００７】
【特許文献１】米国特許第７４５９２２６号
【特許文献２】米国特許第７５６９８３１号
【発明の概要】
【発明が解決しようとする課題】
【０００８】
従来技術の主な欠陥は以下の通りである。
【０００９】
第一に、付加的な構成要素すなわち弾性緩衝材ブロックが検出器に付加的に装着されているので、検出器全体の重量及び費用が増大し、従って検出器の可搬性が低下し、また製造及び組み立ての複雑さが増大する。
【００１０】
また、弾性緩衝材ブロックが付加的に装着されているので、弾性緩衝材ブロックが外れる問題が生じ、すると検出器の信頼性を保証することができない。
【００１１】
本発明によって解決されるべき主な技術的問題は、全体の重量及び費用を増大させることなく衝撃吸収及び耐衝撃性の能力を達成するパネル支持板、検出器、及びＸ線イメージング・システムを提供することにある。
【課題を解決するための手段】
【００１２】
上述の問題を解決するために、本発明の一観点では、本発明によるパネル支持板の技術的解決法が以下の通りとなっている。
【００１３】
本発明によるパネル支持板は、Ｘ線検出器の内部の検出パネルを支持するために用いられ、このパネル支持板は、検出器の筐体の内辺との接触部分に衝撃吸収空間を含んでいる。
【００１４】
好ましくは、上述の衝撃吸収空間は規則的な構造の多数の孔となっている。
【００１５】
好ましくは、上述の衝撃吸収空間はまた、不規則な構造の多数の孔となっていてもよい。
【００１６】
ここで、上述の孔はハニカム構造であってよい。
【００１７】
加えて、上述の孔は微細型円孔（micro-type round hole）形状であってもよい。
【００１８】
さらに、上述の衝撃吸収空間、及び上述のパネル支持板の他の部分は、同じ材料で製造される。
【００１９】
さらに、上述の衝撃吸収空間、及び上述のパネル支持板の他の部分はさらに、異なる材料で製造されていてもよい。
【００２０】
本発明の他の観点では、本発明による検出器は、検出パネルと、シンチレータ層と、軟質回路モジュールと、主回路基板と、パネル支持板と、以上の各要素を収容する筐体とを含んでおり、
Ｘ線は、上述のシンチレータ層を照射した後に可視光信号へ変換され、次いで可視光信号は上述の検出パネルによって受光され、
上述のパネル支持板は上述の検出パネルを支持するために用いられ、
上述の軟質回路モジュールは上述の検出パネル及び上述の主回路基板に接続され、この検出器は、
上述のパネル支持板が、検出器の筐体の内辺との接触部分に衝撃吸収空間を含んでいること特徴とする。
【００２１】
上述の衝撃吸収空間は規則的な構造の多数の孔となっている。
【００２２】
また、上述の衝撃吸収空間は、不規則な構造の多数の孔となっていてもよい。
【００２３】
ここで、上述の孔はハニカム構造であってよい。
【００２４】
加えて、上述の孔はまた、微細型円孔形状であってよい。
【００２５】
好ましくは、上述の衝撃吸収空間、及び上述のパネル支持板の他の部分は、同じ材料で製造される。
【００２６】
さらに、上述の衝撃吸収空間、及び上述のパネル支持板の他の部分はさらに、異なる材料で製造されていてもよい。
【００２７】
本発明のさらにもう一つの観点では、本発明によるＸ線イメージング・システムは、本発明による検出器の技術的解決法を含んでいる。
【００２８】
従来技術と比較して、本発明によるパネル支持板、検出器、及びＸ線イメージング・システムは、以下の有利な効果を有する。
【００２９】
第一に、本発明の技術的解決法は、弾性緩衝材ブロック等のような付加的な構成要素を一切付加することなく、パネル支持板の内部構造を変更することにより外力の衝撃に耐久する効果を達成しており、従って検出器の全体費用を抑える。
【００３０】
第二に、本発明によるパネル支持板は、検出器の筐体の内辺との接触部分に幾つものセル形状衝撃吸収空間を含んでおり、換言すると、衝撃吸収空間及びパネル支持板が一体化されているので、弾性緩衝材ブロックが落下するという従来技術の問題に類似した問題が起こらなくなり、従って信頼性を大幅に高める。
【００３１】
第三に、各々の衝撃吸収空間が内部に空所を有するので、検出器の筐体に加わる衝撃力が各々の衝撃吸収空間によって分解されて方向を変え、加えて、衝撃波エネルギが衝撃吸収空間の変形及び圧縮によって緩衝され、従って検出パネルに直接的に伝達されなくなり、検出器パネルの耐衝撃性及び衝撃吸収能力を大幅に高める。
【００３２】
最後に、本発明は、従来技術でのＸ線検出器のための従来の弾性衝撃吸収方法とは全く異なる剛性衝撃吸収設計に属する機械的構造の特性を十分に活用することにより、衝撃を吸収している。
【図面の簡単な説明】
【００３３】
本開示をさらに完全に理解するために、図面と共に以下の記載を参照する。図面は以下の通りである。
【図１】従来技術での検出器の構造の概略図である。
【図２】本発明の一実施形態による検出器の概略図である。
【図３】図２のＩ部分の部分上面図である。
【図４】衝撃力を受ける本発明によるパネル支持板の概略図である。
【図５】本発明によるパネル支持板の一実施形態によるハニカム構造の衝撃吸収空間の概略図である。
【図６】本発明によるパネル支持板の一実施形態による不規則な構造の多数の孔から成る衝撃吸収空間の概略図である。
【発明を実施するための形態】
【００３４】
以下、本発明の各実施形態を詳細に記載するが、本発明は以下に記載される各実施形態に限定されない。
【００３５】
本発明の一観点では、図２に示すようにＸ線検出器の内部で検出パネル１を支持するために用いられるパネル支持板が開示され、このパネル支持板４は、筐体６の内辺との接触部分に衝撃吸収空間を含んでいる。
【００３６】
図３に示すように、同図は図２のＩ部分の部分上面図であって、すなわち本発明によるパネル支持板が検出器の筐体の内辺に接触している部分の部分図である。図３から分かるように、衝撃吸収空間は孔を含んでおり、パネル支持板１の端辺に力が加わると、衝撃力を受けた後に孔が変形して、各孔の壁面に沿って衝撃力を分散させることができ、これにより衝撃吸収の作用を果たす。図４に示すように、図示の孔はハニカム構造となっているが、言うまでもなくこの構造は一例に過ぎず、当業者に公知の任意の孔構造を採用してよい。ハニカム構造の特徴のため、衝撃力はハニカム構造の端辺に沿って伝達されて、従ってハニカム構造自体の変形を生じ、加えて集中的な衝撃力が分解されて比較的小さい成分力となり、従って検出パネルの端辺に力が直接的に加わり難くなると共に、パネル支持板の端辺の圧縮及び変形は、押し潰し型（extrusion）の変形によって検出パネルに損傷を与える確率を小さくする。
【００３７】
上述の衝撃吸収空間について述べると、衝撃吸収空間は規則的な構造の多数の孔又は不規則な構造の多数の孔の何れとなっていてもよい。図６に示すように、衝撃吸収空間は様々な形状の多様な孔を含んでいる。この場合にも、図５に示すように、衝撃吸収空間はハニカム様の孔を呈する。当業者は、微細型円孔形状等のような他の任意の形状を孔として採用してもよいことを明らかに認められよう。
【００３８】
加えて、衝撃吸収空間と本発明によるパネル支持板の他の部分とは、同じ材料で製造されても異なる材料で製造されてもよい。
【００３９】
本発明のもう一つの観点では、図２に示すように、本発明は、検出パネル１と、シンチレータ層２と、軟質回路モジュール５と、主回路基板３と、パネル支持板４と、以上の各要素を収容する筐体６とを含む検出器を開示し、
Ｘ線は、上述のシンチレータ層２を照射した後に電気信号へ変換され、次いで電気信号は上述の検出器パネル１によって受信され、
上述のパネル支持板４は上述の検出パネル１を支持するために用いられ、
上述の軟質回路モジュール５は上述の検出パネル１及び上述の主回路基板４に接続され、この検出器は、
上述のパネル支持板４が、検出器の筐体６の内辺との接触部分に幾つもの衝撃吸収空間を含んでいること特徴とする。
【００４０】
上述のパネル支持板は、検出器の筐体の内辺との接触部分に衝撃吸収空間を含んでいる。
【００４１】
ここで、上述の衝撃吸収空間は、規則的な構造の多数の孔又は不規則な構造の多数の孔となっている。
【００４２】
上述の孔は好ましくは、ハニカム構造である。
【００４３】
言うまでもなく、上述の孔はまた、微細型円孔形状等のような他の形状を有していてもよい。
【００４４】
さらに、上述の衝撃吸収空間、及び上述のパネル支持板の他の部分は、同じ材料で製造されていても、異なる材料で製造されていてもよい。
【００４５】
本発明による検出器のパネル支持板４の技術的解決法は本発明によるパネル支持板の技術的解決法に対応しているので、本発明による検出器の技術的解決法についてはここでは立ち入らない。
【００４６】
本発明のさらにもう一つの観点では、本発明による検出器を含むＸ線イメージング・システムが開示される。
【００４７】
まとめると、本発明の技術的解決法は、弾性緩衝材ブロック等のような付加的な構成要素を一切付加することなく、パネル支持板の内部構造を変更することにより外力の衝撃に耐久する効果を達成しており、従って検出器の全体費用を抑える。
【００４８】
第二に、本発明によるパネル支持板は、検出器の筐体の内辺との接触部分に幾つものセル形状衝撃吸収空間を含んでおり、換言すると、衝撃吸収空間及びパネル支持板が一体化されているので、弾性緩衝材ブロックが落下するという従来技術の問題に類似した問題が起こらなくなり、従って信頼性を大幅に高める。
【００４９】
第三に、各々の衝撃吸収空間が内部に空所を有するので、衝撃力が各々の衝撃吸収空間によって分解されて方向を変え、加えて、衝撃波のエネルギが衝撃吸収空間の変形及び圧縮によって緩衝され、従って検出パネルに直接的に伝達されなくなり、検出器パネルの耐衝撃性及び衝撃吸収能力を大幅に高める。
【００５０】
最後に、本発明は、従来技術でのＸ線検出器のための従来の弾性衝撃吸収方法とは全く異なる剛性衝撃吸収設計に属する機械的構造の特性を十分に活用することにより、衝撃を吸収している。
【００５１】
以上、本発明の実施形態を図面と併せて記載したが、当業者は本発明の要旨及び範囲から逸脱することなく本発明に対して様々な変形、改変及び等価置換を具現化し得る。かかる変形、改変及び等価置換は特許請求の範囲によって画定される要旨及び範囲に含まれるものとする。
【符号の説明】
【００５２】
１：検出パネル
２：シンチレータ層
３：主回路基板層
４：パネル支持板
５：軟質回路モジュール
６：筐体
【図１】
2012242393.tif 000003
【図２】
2012242393.tif 000004
【図３】
2012242393.tif 000005
【図４】
2012242393.tif 000006
【図５】
2012242393.tif 000007
【図６】
2012242393.tif 000008
【外国語明細書】
2012242393000001.pdf